(57)【要約】  【課題】  ベッドのボードの縁部の損傷を防ぐこと。  【解決手段】ベッドのボードの縁部に、面ファスナーを介して、樹脂製のプロテクタを着脱自在に装着した。【選択図】  図３
2006109882.tif 000002
【特許請求の範囲】
【請求項１】
ベッドのボードの側縁部に、面ファスナーを介して着脱自在に装着された、樹脂製のプロテクタ。
【請求項２】
前記プロテクタの内面には前記面ファスナーの上限度及び下限を規制する一対の突起が形成され、この突起が、前記ボードの側縁部に着脱自在に嵌着された、請求項１記載のプロテクタ。
【請求項３】
ヘッドボード又はフットボードを備えるベッドにおいて、前記ヘッドボード及び／又は前記フットボードの側縁部には、面ファスナーを介して樹脂製のプロテクタが着脱自在に装着されてなることを特徴とする、ベッド。
【請求項４】
前記プロテクタの内面には前記面ファスナーの上限度及び下限を規制する一対の突起が形成され、この突起が、前記ヘッドボード及び／又は前記フットボードの側縁部に着脱自在に嵌着されたことを特徴とする、請求項３記載のベッド。
【発明の詳細な説明】
【技術分野】
【０００１】
本発明は、ベッド及びベッドのボードプロテクタに関する。
【背景技術】
【０００２】
近年、病院等で使用される寝台等は比較的頻繁に移動させるため、マットレスを載置する台枠を支持してなる脚台にキャスター等を取り付けており、また、この移動の際に寝台が室内の壁や他の物に衝突した時の衝撃を緩和し、かつ損傷を防止するために前記台枠の隅角部にはバンパーを取り付けたものもある。更に、前記の台枠の隅角部に取り付けたバンパーとは別に、台枠を支持してなる脚台等に回転バンパーを設けておき、衝突時に寝台の方向を変換することで衝突時の衝撃をより緩和させたり、また寝台の向きを矯正したりするものもある。しかしながら、前記のように台枠の隅角部の固定バンパーと、脚台等の回転バンパーとを、それぞれ別途取り付ける場合には、部材点数が多くなり、組み立てが面倒であるだけでなく、外観上もあまり好ましいものではなかった。
【０００３】
そこで、特許文献１は、前記のような固定バンパーと回転バンパーとの両方の機能を有し、かつ外観上も好ましい寝台等におけるバンパー装置を提供せんとするため、寝台等の隅角部に取り付けた固定バンパーの内部に、該固定バンパーの外側に一部を突出させた状態で回転バンパーを内装した構造を提供する。
【特許文献１】実開２００２−２０９７９６号公報
【発明の開示】
【発明が解決しようとする課題】
【０００４】
特許文献１に開示された構造を採用すれば、確かに、寝台が室内の壁面等に衝突した時の衝撃を固定バンパー部分で吸収、緩和するとともに、該固定バンパーに内装した回転バンパーが壁面等に当接して回転することで、寝台を方向変換して衝突時の衝撃を更に緩和することができる。また、この回転バンパーを壁面等に当接して壁面にそって寝台の向きを修正したりすることもできる。
【０００５】
しかしながら、病院用寝台はもとより、介護用寝台は、隣接して駐車する車椅子との接触もあり得るので、上記寝台は、この点への対応がなされていない。なぜなら、当該接触箇所は、主として、ベッドボードの縁部であるが、この部位は、上記した固定バンパーや回転バンパーが位置する寝台の隅角部よりも高い位置にあるからである。
【０００６】
それ故に、本発明は、かような不具合が惹起されないようにすることを、その技術的課題とする。
【課題を解決するための手段】
【０００７】
上記の課題を解決するために講じた技術的手段は、請求項１に記載のように、
「ベッドのボードの縁部の側面に、面ファスナーを介して、着脱自在に装着された、樹脂製のプロテクタ。」
を構成したことである。
【０００８】
請求項１記載のプロテクタにおいては、請求項２に記載のように、「内面には前記面ファスナーの上限度及び下限を規制する一対の突起が形成され、この突起が、前記ボードの側縁部に着脱自在に嵌着される」ことが出来る。
【０００９】
また、上記の課題を解決するために講じた技術的手段は、請求項２に記載のように、
「ヘッドボード又はフットボードを備えるベッドにおいて、前記ヘッドボード及び／又は前記フットボードの縁部の側面には、面ファスナーを介して樹脂製のプロテクタが着脱自在に装着されてなることを特徴とする、ベッド。」
を構成したことである。
【００１０】
請求項３記載のベッドにおいては、請求項４に記載のように、「内面には前記面ファスナーの上限度及び下限を規制する一対の突起が形成され、この突起が、前記ヘッドボード及び／又は前記フットボードの側縁部に着脱自在に嵌着される」ことが出来る。
【発明の効果】
【００１１】
本発明によれば、樹脂製のプロテクタにより、ベッドのボードが、損傷から保護される。また、樹脂製のプロテクタは損傷しても、ベッドのボードの縁部の側面から取り外して、新品と交換できるから、損傷した状態でレンタルせざるを得ないということがなく、実用上、多大な効果を奏する。
【００１２】
更には、プロテクタの内面には前記面ファスナーの上限度及び下限を規制する一対の突起が形成され、この突起が、前記ボードの側縁部に着脱自在に嵌着されるので、プロテクタの位置決めを正確に行えるという効果も奏する。
【発明を実施するための最良の形態】
【００１３】
以下、本発明の一実施の形態を、図面を参照して詳細に説明する。
【００１４】
図１において、電動式昇降ベッド１０電動式昇降ベッド１０は、一対のベース１１、１１と、ヘッドボード１２及びフットボード１３と、駆動機構（図示なし）と、一対のフレーム１４、１４とを主要な部材として備えている。
【００１５】
ベース１１は脚部１１ｂと支持部１１ｓとから構成されている。床面上に設置される脚部１１ｂは電動式昇降ベッド１０の土台として機能している。支持部１１ｓは、脚部１１ｂから上方に延在して設けられている。
【００１６】
ヘッドボード１２及びフットボード１３は、その内部にベース１１の支持部１１ｓが収容されるように一対のベース１１、１１にそれぞれ取り付けられることにより、ベース１１に支持される構成となっている。
【００１７】
また、ヘッドボード１２とフットボード１３の内部には昇降機構（図示なし）がそれぞれ設けられている。この昇降機構としては、例えば、モータ、ウォーム、ウォームホイール等からなる周知の駆動機構の適用が可能である。この昇降機構により、ヘッドボード１２及びフットボード１３は、ベース１１の支持部１１ｓに対して上下に昇降される、つまり、ヘッドボード１２及びフットボード１３がベース１１に対して上下に昇降される構成となっており、これにより、床面から後述するボトム面までの高さを、所定の範囲内で調整することが可能となっている。
【００１８】
なお、昇降機構は、ヘッドボード１２側とフットボード１３側とを独立して作動させることも可能であり、例えば、ヘッドボード１２側をフットボード１３側より高く昇降させることによって、ボトム面を床面に対して傾斜した状態にするチルト動作を行うことができる。
【００１９】
ヘッドボード１２とフットボード１３は、一対のフレーム１４、１４を介して互いに連結されている。具体的には、ヘッドボード１２とフットボード１３の間に延在して設けられるフレーム１４の両端部が、ヘッドボード１２及びフットボード１３の対応する位置にそれぞれ設けられたコの字状のブラケット１２ｂ、１３ｂによってそれぞれ挟持され、この状態で、フレーム１４を枢支するためのピン１２ｐ、１３ｐが、前述のブラケット１２ｂ、１３ｂと、これらに挟持されたフレーム１４の各端部とを貫通して挿通されている。これにより、フレーム１４はヘッドボード１２及びフットボード１３に枢支される構成となっている。
【００２０】
フレーム１４におけるフットボード１３側には、フレーム１４に沿って延在する長孔１４ｈが形成されている。この長孔１４ｈ内には前述のピン１３ｐが挿通され、これにより、フレーム１４はフットボード１３に対する相対的な移動が可能となっている。つまり、フレーム１４は、フットボード１３に対して相対的に伸縮可能な構成となっている。
【００２１】
なお、両フレーム１４、１４間には、複数の床板が設けられており、これによりベッドのボトム面が形成されている。
【００２２】
また、先に述べた一対のベース１１、１１は、その脚部１１ｂにて、連結部材１５を介して互いに連結されている。連結部材１５としては、例えば、剛性を有する金属棒等を適用すればよい。この連結部材１５は、前述の長孔１４ｈによりフレーム１４に対する相対的な移動が許容されるフットボード１３を、ヘッドボード１２に対して、機能上適正な位置に設定するためのものである。さらには、両ベース１１、１１間が強固に連結されることによって、ベッド全体としての剛性を向上させることにもつながり、有効な構成である。
【００２３】
次に、本発明の電動式昇降ベッド１０におけるチルト動作時の作動について説明する。
【００２４】
図３は、本発明の電動式昇降ベッド１０において、チルト動作が行われた状態を示している。
【００２５】
ヘッドボード１２側とフットボード１３側とが同じ高さにある状態から、ヘッドボード１２側の昇降機構を作動させると、ヘッドボード１２側のみが上方へと昇降する。この場合、フレーム１４におけるヘッドボード１２側は、ブラケット１２ｂに挿通されたピン１２ｐを中心として、ヘッドボード１２に対して下方へと回動し、一方で、フレーム１４におけるフットボード１３側は、ブラケット１３ｂに挿通されたピン１３ｐを中心として、フットボード１３に対して上方へと回動する。ここで、フレーム１４は、前述した長孔１４ｈを介してフットボード１３のブラケット１３ｂに挿通されたピン１３ｐに枢支されており、フットボード１３に対する相対的な移動が許容された構成となっている。したがって、フレーム１４におけるフットボード１３側は、前述した様に、ブラケット１３ｂに挿通されたピン１３ｐを中心に上方に回動し、同時に、ヘッドボード１２側に引っ張られるような状態となるが、フットボード１３に対する相対的な移動を可能とする長孔１４ｈの作用によって、フレーム１４がフットボード１３に対して相対的に伸縮するような格好となる。その結果、ヘッドボード１２が上方へと昇降するにつれて、ヘッドボード１２及びフットボード１３により枢支されるフレーム１４が、同ヘッドボード１２及びフットボード１３間にて徐々に傾斜することとなり、電動式昇降ベッド１０におけるチルト動作を実現することができる。
【００２６】
以上説明した様に、電動式昇降ベッド１０によれば、フレーム１４はヘッドボード１２に枢支されると共に、フレーム１４に沿って延在する長孔１４ｈを介してフットボード１３に枢支される構成となっている。この長孔１４ｈは、フレーム１４のフットボード１３に対する相対的な移動を可能とし、その結果、フレーム１４は、フットボード１３に対して相対的に伸縮可能な構成となっている。したがって、ヘッドボード１２側の上方への昇降にともなって、フレーム１４は、そのヘッドボード１２側においてはヘッドボード１２に対して下方へと枢軸回転する。一方で、フットボード１３側においては、フットボード１３に対して上方へと枢軸回転し、同時に、長孔１４ｈの作用によってフットボード１３に対して相対的に伸縮するような格好となり、これにより、電動式昇降ベッド１０におけるチルト動作が実現される。なお、このチルト動作の過程においては、ヘッドボード１２とフレーム１４の位置だけが変化しており、ヘッドボード１２については、当初の設置状態からベース１１に対して真っ直ぐに上方へと昇降し、フレーム１４については、長孔１４ｈの作用によってヘッドボード１２及びフットボード１３間にて傾斜した状態となっている。ここで、電動昇降式ベッド１０の設置スペースについて着目してみると、上述のヘッドボード１２とフレーム１４の位置が変化したことによって余分な設置スペースは必要となっていない。したがって、チルト動作時においても余分な設置スペースを必要としない電動式昇降ベッド１０を実現することができる。
【００２７】
上記した構成の電動式昇降ベッド１０は、介護用ベッドとして使用せられ、病院の病室、介護施設の居室、一般家庭の居室に設置される。しかした、かような室内においては、車椅子が、電動式昇降ベッド１０の長手方向に沿って、駐車することがある。この場合、要介護者が自力で車椅子を操作すると、ヘッドボード１２の縁部を損傷することがある（フットボード１３についても同様であるが、以下においては、ヘッドボード１２についてのみ説明する）。かような事態を考慮して、以下に示すような手当てがなされている。
【００２８】
図３に明瞭に示されるように、ヘッドボード１２は、本体部１２１と、本体部１２１の両側縁部１２２・１２２に装着された樹脂製のプロテクタ１３０・１３０とから構成される。しかして、この装着は、プロテクタ１３０を側縁部１２２に冠着した後、プロテクタ１３０の内面に固定された面ファスナーの一方部９１が、側縁部１２２に固定された面ファスナーの他方部９２に接合されることにより、なされる。樹脂製のプロテクタ１３０に、例えば車椅子が接触したとしても、側縁部１２２は保護される。このような接触が度重なったとしても、損傷するのは、樹脂製のプロテクタ１３０のみである。樹脂製のプロテクタ１３０はヘッドボード１２の側縁部１２２から取り外して、新品と交換できる。
【００２９】
尚、樹脂製のプロテクタ１３０の内部突起１３１・１３１は、側縁部１２２の穴１２３・１２３に嵌装される。これは、位置決めを正確に行うためであり、場合に応じて、省略することが出来る。
【図面の簡単な説明】
【００３０】
【図１】本発明のプロテクタが適用される電動式昇降ベッドにおいて、通常の昇降動作が行われた状態を示す図である。
【図２】図１の電動式昇降ベッドがチルト動作したときの状態を示す図である。
【図３】本発明のプロテクタを説明する図である。
【符号の説明】
【００３１】
１０  電動式昇降ベッド
１１  ベース
１２  ヘッドボード
１３  フットボード
１４  フレーム
【図１】
2006109882.tif 000003
【図２】
2006109882.tif 000004
【図３】
2006109882.tif 000005